(57)【要約】【課題】ユーザへの課金に定額制を採用しつつ、コンセントの設置場所の管理者への支払いを適切に行うことができる技術を提供する。【解決手段】管理サーバ１８において、請求処理部５８は、所定のタイミングでユーザに対して所定金額の請求処理を実行する。取得部５０は、コンセントから供給される電力によるユーザの車両の充電実績情報を取得する。導出部５４は、取得部５０で取得された充電実績情報にもとづいて、コンセントの設置場所の管理者への支払額を導出する。【選択図】図２
2019204161.tif 000002
【特許請求の範囲】
【請求項１】
所定のタイミングでユーザに対して所定金額の請求処理を実行する請求処理部と、
コンセントから供給される電力による前記ユーザの車両の充電実績情報を取得する取得部と、
前記取得部で取得された前記充電実績情報にもとづいて、前記コンセントの設置場所の管理者への支払額を導出する導出部と、
を備えることを特徴とする管理サーバ。
【請求項２】
前記請求処理部は、前記所定のタイミングで複数のユーザのそれぞれに対して前記所定金額の請求処理を行い、
前記取得部は、複数のコンセントのそれぞれに関する前記充電実績情報を取得し、
前記導出部は、前記取得部で取得された前記複数のコンセントのそれぞれに関する前記充電実績情報にもとづいて、前記複数のユーザに対して請求処理が行われた金額の総計に応じた金額を各コンセントの設置場所の管理者に配分し、各管理者に配分された金額を各管理者への支払額とする、ことを特徴とする請求項１に記載の管理サーバ。
【請求項３】
各管理者に関して、前記コンセントから前記車両に供給された電力の電力料金が、当該コンセントに電力を供給する電力供給者から当該管理者に課金され、
前記導出部は、各管理者に関して、当該管理者に配分された金額が当該管理者に課金された電力料金より少ない場合、当該電力料金と当該管理者に配分された金額との差を当該管理者への支払額に加算する、ことを特徴とする請求項２に記載の管理サーバ。
【請求項４】
所定のタイミングでユーザに対して所定金額の請求処理を実行するステップと、
コンセントから供給される電力による前記ユーザの車両の充電実績情報を取得するステップと、
取得された前記充電実績情報にもとづいて、前記コンセントの設置場所の管理者への支払額を導出するステップと、
を備えることを特徴とする情報処理方法。
【請求項５】
電力供給装置と、
前記電力供給装置と通信を行う管理サーバと、を備え、
前記電力供給装置は、
電力供給者から供給される電力をユーザの車両に供給可能なコンセントと、
前記コンセントから供給される電力による前記車両の充電実績情報を記録する制御装置と、を備え、
前記管理サーバは、
所定のタイミングで前記ユーザに対して所定金額の請求処理を実行する請求処理部と、
前記充電実績情報を前記制御装置から取得する取得部と、
前記取得部で取得された前記充電実績情報にもとづいて、前記コンセントの設置場所の管理者への支払額を導出する導出部と、
を備えることを特徴とする情報処理システム。
【請求項６】
前記コンセントの前記設置場所における電力料金を導出する課金サーバをさらに備え、
前記制御装置は、前記コンセントが前記車両に電力を供給している間、前記課金サーバに充電情報を送信し、
前記課金サーバは、前記充電情報を受信している間の電力料金を、前記充電情報を受信していない場合の第１単価よりも低い第２単価にもとづいて導出する、ことを特徴とする請求項５に記載の情報処理システム。
【発明の詳細な説明】
【技術分野】
【０００１】
本発明は、電力の取引に関する情報を管理する管理サーバ、情報処理方法および情報処理システムに関する。
【背景技術】
【０００２】
電気自動車で外出した運転者が、外出先の住宅や店舗などに設置されたコンセントを用いて電気自動車に充電可能なシステムが知られている。特許文献１は、電力供給場所のコンセントから自動車に供給された電力量の情報が、センタ装置から当該自動車の所有者が契約する電力供給者に通知される電力料金課金システムを開示する。このシステムでは、自動車に給電した電力量に応じた料金が自動車の所有者に直接課金され、電力供給場所の管理者に対しては、自動車に給電した電力量を差し引いた差分電力量の料金が課金される。
【先行技術文献】
【特許文献】
【０００３】
【特許文献１】特開２０１０−０７９４５６号公報
【発明の概要】
【発明が解決しようとする課題】
【０００４】
本発明者らは、料金の課金方法には定額制という考え方があるが、コンセントを用いて車両を充電するユーザへの課金に定額制を採用した場合に、コンセントの設置場所の管理者にどのように支払いを行うかが課題であることを認識した。
【０００５】
本発明はこうした状況に鑑みてなされたものであり、その目的は、ユーザへの課金に定額制を採用しつつ、コンセントの設置場所の管理者への支払いを適切に行うことができる管理サーバ、情報処理方法および情報処理システムを提供することにある。
【課題を解決するための手段】
【０００６】
上記課題を解決するために、本発明のある態様の管理サーバは、所定のタイミングでユーザに対して所定金額の請求処理を実行する請求処理部と、コンセントから供給される電力による前記ユーザの車両の充電実績情報を取得する取得部と、前記取得部で取得された前記充電実績情報にもとづいて、前記コンセントの設置場所の管理者への支払額を導出する導出部と、を備える。
【０００７】
この態様によると、ユーザに対して所定金額の請求処理を行い、充電実績情報にもとづいてコンセントの設置場所の管理者への支払額を導出するので、管理者への支払いを適切に行うことができる。
【０００８】
前記請求処理部は、前記所定のタイミングで複数のユーザのそれぞれに対して前記所定金額の請求処理を行い、前記取得部は、複数のコンセントのそれぞれに関する前記充電実績情報を取得し、前記導出部は、前記取得部で取得された前記複数のコンセントのそれぞれに関する前記充電実績情報にもとづいて、前記複数のユーザに対して請求処理が行われた金額の総計に応じた金額を各コンセントの設置場所の管理者に配分し、各管理者に配分された金額を各管理者への支払額としてもよい。
【０００９】
各管理者に関して、前記コンセントから前記車両に供給された電力の電力料金が、当該コンセントに電力を供給する電力供給者から当該管理者に課金され、前記導出部は、各管理者に関して、当該管理者に配分された金額が当該管理者に課金された電力料金より少ない場合、当該電力料金と当該管理者に配分された金額との差を当該管理者への支払額に加算してもよい。
【００１０】
本発明の別の態様は、情報処理方法である。この方法は、所定のタイミングでユーザに対して所定金額の請求処理を実行するステップと、コンセントから供給される電力による前記ユーザの車両の充電実績情報を取得するステップと、取得された前記充電実績情報にもとづいて、前記コンセントの設置場所の管理者への支払額を導出するステップと、を備える。
【００１１】
この態様によると、ユーザに対して所定金額の請求処理を行い、充電実績情報にもとづいてコンセントの設置場所の管理者への支払額を導出するので、管理者への支払いを適切に行うことができる。
【００１２】
本発明のさらに別の態様は、情報処理システムである。この情報処理システムは、電力供給装置と、前記電力供給装置と通信を行う管理サーバと、を備える。前記電力供給装置は、電力供給者から供給される電力をユーザの車両に供給可能なコンセントと、前記コンセントから供給される電力による前記車両の充電実績情報を記録する制御装置と、を備える。前記管理サーバは、所定のタイミングで前記ユーザに対して所定金額の請求処理を実行する請求処理部と、前記充電実績情報を前記制御装置から取得する取得部と、前記取得部で取得された前記充電実績情報にもとづいて、前記コンセントの設置場所の管理者への支払額を導出する導出部と、を備える。
【００１３】
この態様によると、ユーザに対して所定金額の請求処理を行い、充電実績情報にもとづいてコンセントの設置場所の管理者への支払額を導出するので、管理者への支払いを適切に行うことができる。
【００１４】
前記情報処理システムは、前記コンセントの前記設置場所における電力料金を導出する課金サーバをさらに備えてもよい。前記制御装置は、前記コンセントが前記車両に電力を供給している間、前記課金サーバに充電情報を送信し、前記課金サーバは、前記充電情報を受信している間の電力料金を、前記充電情報を受信していない場合の第１単価よりも低い第２単価にもとづいて導出してもよい。
【発明の効果】
【００１５】
本発明によれば、ユーザへの課金に定額制を採用しつつ、コンセントの設置場所の管理者への支払いを適切に行うことができる。
【図面の簡単な説明】
【００１６】
【図１】第１の実施の形態に係る情報処理システムの構成を示すブロック図である。
【図２】図１の管理サーバの構成を示すブロック図である。
【図３】図１の情報処理システムにおける処理を示すシーケンス図である。
【発明を実施するための形態】
【００１７】
（第１の実施の形態）
図１は、第１の実施の形態に係る情報処理システム１の構成を示す。情報処理システム１は、複数の電力供給装置１０と、課金サーバ１２と、複数のユーザ端末１４と、複数の管理者端末１６と、管理サーバ１８とを備える。
【００１８】
電力供給装置１０は、例えば、店舗、住宅、会社、駐車場などの施設に設置され、管理サーバ１８に予め登録された複数のユーザのいずれかが所有する車両２０に対して電力を供給可能である。電力供給装置１０は、認証型コンセントとも呼ばれる。電力供給装置１０は、コンセント３０と、制御装置３２とを有する。電力供給装置１０が設置された施設を、コンセント３０の設置場所１００と呼ぶ。
【００１９】
コンセント３０には、電力会社などの電力供給者から電力が供給される。コンセント３０には、充電ケーブルを用いてユーザの車両２０を電気的に接続可能である。車両２０は、車両駆動力を発生する電動機と、電動機を駆動する電力を蓄電する二次電池とを備える電気自動車、ハイブリッド車両などである。コンセント３０から車両２０に電力が供給され、車両２０に搭載された二次電池が充電される。制御装置３２は、管理サーバ１８および課金サーバ１２と有線通信または無線通信を行うとともに、コンセント３０による給電を制御する。
【００２０】
ユーザ端末１４は、車両２０のユーザに所有される。ユーザ端末１４は、スマートフォン、携帯電話、タブレット端末、ノートパソコン、ウェアラブル端末などの携帯端末であってもよいし、カーナビゲーションシステムなどとして構成された車載端末であってもよい。
【００２１】
ユーザ端末１４は、管理サーバ１８と無線通信を行う。ユーザ端末１４は、管理サーバ１８から受信した情報にもとづいて、例えば、現在位置付近の複数のコンセント３０の情報を表示する。コンセント３０の情報は、位置および充電可能時間帯などの情報を含む。ユーザ端末１４は、ユーザによるコンセント３０の利用要求の入力を受け付けることができる。利用要求は、例えば、ユーザが指定したコンセント３０を識別する情報を含む。ユーザ端末１４は、受け付けた利用要求を管理サーバ１８に送信する。利用要求には、ユーザを識別する情報が添付される。
【００２２】
管理サーバ１８は、例えばデータセンタに設置され、複数のユーザ端末１４と複数の電力供給装置１０から送信された情報を処理して、ユーザ認証処理および支払処理などを実行する情報処理装置として機能する。管理サーバ１８は、ユーザ端末１４から送信された利用要求にしたがい、ユーザが指定したコンセント３０の電力供給装置１０へロック解除要求を送信する。管理サーバ１８の構成は後述する。
【００２３】
制御装置３２は、ロック解除要求を管理サーバ１８から受信した場合、コンセント３０のロック解除を行う。ロック状態では、コンセント３０に車両２０が接続された場合であっても、制御装置３２はコンセント３０に給電させない。
【００２４】
ユーザは、車両２０とコンセント３０を充電ケーブルで接続する。制御装置３２は、ロック解除された状態でコンセント３０に車両２０が接続された場合、コンセント３０に車両２０への給電を開始させる。制御装置３２は、コンセント３０が車両２０に電力を供給している間、管理サーバ１８と課金サーバ１２に充電情報を送信する。充電情報は、コンセント３０から供給される電力で車両２０が充電中であることを示す情報である。制御装置３２は、コンセント３０が車両２０に電力を供給している間、管理サーバ１８に充電情報を送信し、受信した充電情報を管理サーバ１８が課金サーバ１２に送信してもよい。
【００２５】
制御装置３２は、充電開始から所定時間が経過した場合、車両２０の二次電池が満充電になった場合、ユーザがコンセント３０から充電ケーブルを抜いた場合などに、コンセント３０に車両２０への給電を終了させ、コンセント３０をロックする。制御装置３２は、ロック後、ロック情報を管理サーバ１８に送信する。
【００２６】
管理サーバ１８は、ロック情報を受信すると、受信した充電情報をもとに充電実績情報を取得し、充電実績情報にもとづいて管理者への支払額を導出し、支払処理を実行する。充電実績情報は、充電情報が受信されている期間である充電時間を含む。管理サーバ１８は、管理者への支払額の支払完了情報を管理者端末１６に送信し、管理者への支払処理が完了したことを示す支払完了情報を課金サーバ１２に送信する。
【００２７】
課金サーバ１２は、例えば電力供給者のデータセンタに設置される。課金サーバ１２は、コンセント３０の設置場所１００における電力料金を導出する。課金サーバ１２は、充電情報を受信している間の所定電力分の電力料金を、充電情報を受信していない場合の第１単価よりも低い第２単価にもとづいて導出し、導出された電力料金を車両２０の充電に用いられた電力の電力料金とする。所定電力は、車両２０の充電に用いられる電力にもとづいて適宜定められる。このように車両２０の充電に用いられる電力の料金の第２単価は、コンセント３０の設置場所１００において電力供給装置１０以外の電気機器などで消費される電力の料金の第１単価より低い。第２単価は、例えば、電力供給者と、管理サーバ１８の所有者、すなわち充電サービスの提供者との契約で設定される。
【００２８】
車両２０の充電に用いられた電力の電力料金は、管理者には請求されず、管理サーバ１８の所有者に請求される。管理サーバ１８の所有者には、一ヶ月に一度などの所定期間ごとに、複数のコンセント３０から複数の車両２０に供給された電力の累積の電力料金が請求される。車両２０の充電以外の電力料金は、管理者に請求される。
【００２９】
管理者端末１６は、管理者が利用する端末である。管理者端末１６は、スマートフォン、携帯電話、タブレット端末、ノートパソコン、ウェアラブル端末などの携帯端末であってもよいし、パーソナルコンピュータなどの据え置き型の端末であってもよい。管理者端末１６は、管理サーバ１８と無線通信を行う。管理者端末１６は、ユーザの充電完了後、支払完了情報を管理サーバ１８から受信する。
【００３０】
図２は、図１の管理サーバ１８の構成を示す。管理サーバ１８は、通信部４０と、処理部４２とを備える。処理部４２は、取得部５０と、導出部５４と、支払処理部５６と、請求処理部５８とを備える。
【００３１】
請求処理部５８は、所定のタイミングで複数のユーザのそれぞれに対して所定金額の請求処理を実行する。所定のタイミングは、例えば、一ヶ月に一回のタイミングである。この場合、月額定額の利用料金の請求である。請求処理は、周知の技術にもとづいて実行できる。
【００３２】
通信部４０は、複数のユーザ端末１４と無線通信を行う。通信部４０は、複数の管理者端末１６および複数の電力供給装置１０と有線通信または無線通信を行う。通信部４０は、ユーザ端末１４から利用要求を受信し、受信した利用要求を処理部４２に出力する。処理部４２は、利用要求に添付されたユーザを識別する情報にしたがい、ユーザ認証を行う。処理部４２は、ユーザ認証を完了した場合、利用要求に含まれるコンセント３０を識別する情報にもとづいて、通信部４０を介して、ユーザが指定したコンセント３０の電力供給装置１０へロック解除要求を送信する。
【００３３】
通信部４０は、ユーザが指定したコンセント３０の電力供給装置１０から充電情報を受信する。取得部５０は、通信部４０で受信された充電情報をもとに、コンセント３０から供給される電力によるユーザの車両２０の充電実績情報を取得する。取得部５０は、複数のコンセント３０のそれぞれに関する充電実績情報を取得する。
【００３４】
通信部４０が電力供給装置１０からロック情報を受信した場合、導出部５４は、取得部５０で取得された充電実績情報にもとづいて、コンセント３０の設置場所１００の管理者への支払額を導出する。具体的には、導出部５４は、取得部５０で取得された複数のコンセント３０のそれぞれに関する充電実績情報にもとづいて、複数のユーザに対して請求処理が行われた金額の総計に応じた金額を各コンセント３０の設置場所１００の管理者に配分し、各管理者に配分された金額を各管理者への支払額とする。例えば、導出部５４は、ロック情報が受信される度に、請求処理が行われた金額の総計に応じた金額と、充電実績情報に含まれる充電時間とを所定の計算式に代入して、管理者への支払額を導出できる。請求処理が行われた金額の総計に応じた金額は、総計から、例えば管理サーバ１８の所有者の利益を減じた金額である。なお、一ヶ月などの所定期間ごとに、所定期間の各管理者の累積の充電実績情報をもとに、累積の充電時間が長い管理者ほど配分される金額が増加するように管理者への支払額を導出してもよい。
【００３５】
支払処理部５６は、導出された支払額の管理者への支払処理を行い、通信部４０を介して支払完了情報を管理者端末１６へ送信する。支払処理部５６は、通信部４０を介して支払完了情報を課金サーバ１２へ送信する。支払完了情報は課金サーバ１２へ送信しなくてもよい。支払処理は、周知の技術にもとづいて実行できる。
【００３６】
処理部４２の構成は、ハードウエア的には、任意のコンピュータのＣＰＵ、メモリ、その他のＬＳＩで実現でき、ソフトウエア的にはメモリにロードされたプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３７】
次に、以上の構成による情報処理システム１の全体的な動作を説明する。図３は、図１の情報処理システム１における処理を示すシーケンス図である。
【００３８】
まず、ユーザ端末１４は、利用要求を管理サーバ１８へ送信する（Ｓ１０）。管理サーバ１８は、利用要求にしたがい、ロック解除要求を電力供給装置１０へ送信する（Ｓ１２）。電力供給装置１０は、ロック解除要求にしたがいロック解除を行う（Ｓ１４）。
【００３９】
ユーザが車両２０とコンセント３０を充電ケーブルで接続すると、電力供給装置１０は、車両２０の充電を開始する（Ｓ１６）。充電中、電力供給装置１０は、管理サーバ１８に充電情報を送信し（Ｓ１８）、課金サーバ１２に充電情報を送信する（Ｓ２０）。
【００４０】
電力供給装置１０は、所定の場合に車両２０の充電を完了し（Ｓ２２）、コンセント３０をロックし（Ｓ２４）、ロック情報を管理サーバ１８に送信する（Ｓ２６）。管理サーバ１８は、ロック情報を受信すると、充電実績情報にもとづいて管理者への支払額を導出し、支払処理を実行する（Ｓ２８）。管理サーバ１８は、支払完了情報を課金サーバ１２に送信し（Ｓ３０）、支払完了情報を管理者端末１６に送信する（Ｓ３２）。
【００４１】
本実施の形態によれば、ユーザに対して所定金額の請求処理を行い、充電実績情報にもとづいて管理者への支払額を導出するので、ユーザへの課金に定額制を採用しつつ、管理者への支払いを適切に行うことができる。また、充電を行う度に単価などの充電条件をユーザに知らせる必要がなく、ユーザは、充電条件を確認することなく気軽に充電できる。
【００４２】
また、複数のユーザに対して請求処理が行われた金額の総計に応じた金額を各管理者に配分するので、管理者に公平に支払うことができる。
【００４３】
さらに、充電情報を受信している間の電力料金を、充電情報を受信していない場合の単価よりも低い単価にもとづいて導出するので、車両２０の充電に用いられる電力を安価に提供できる。
【００４４】
（第２の実施の形態）
第２の実施の形態では、設置場所１００の全体の電力料金が電力供給者から管理者に請求されることが第１の実施の形態と異なる。以下では、第１の実施の形態との相違点を中心に説明する。
【００４５】
課金サーバ１２で導出されたコンセント３０の設置場所１００の全体の電力料金は、一ヶ月に一度などの所定期間ごとに管理者に請求される。各管理者に関して、当該管理者のコンセント３０から車両２０に供給された電力の電力料金（以下、特定の電力料金と呼ぶ）が、他の電気機器による電力料金とともに電力供給者から当該管理者に課金される。
【００４６】
管理サーバ１８の導出部５４は、各管理者に関して、所定期間の充電実績情報と第２単価にもとづいて、所定期間の特定の電力料金を導出する。なお、導出部５４が電力料金を導出する代わりに、課金サーバ１２が特定の電力料金の情報を管理サーバ１８に送信し、通信部４０がこの情報を受信し、導出部５４はこの特定の電力料金を取得してもよい。
【００４７】
導出部５４は、各管理者に関して、当該管理者に配分された金額が当該管理者に課金された特定の電力料金より少ない場合、当該特定の電力料金と当該管理者に配分された金額との差を当該管理者への支払額に加算する。管理者に配分された金額が課金された特定の電力料金より少ない状況としては、例えば、所定期間に充電を行ったユーザ数が想定より多く、所定期間の複数のコンセント３０の累積の充電時間が所定時間を超えた状況が想定される。
【００４８】
本実施の形態によれば、少なくとも車両２０の充電に用いられた電力の電力料金を管理者へ支払うことができる。よって、管理者の不利益を抑制できる。
【００４９】
以上、実施の形態をもとに本発明を説明した。実施の形態はあくまでも例示であり、各構成要素や各処理プロセスの組合せにいろいろな変形例が可能なこと、またそうした変形例も本発明の範囲にあることは当業者に理解されるところである。
【００５０】
例えば、第１および第２の実施の形態では、課金サーバ１２は、充電情報を受信している間の所定電力分の電力料金を第２単価にもとづいて導出する例を説明したが、単価は固定として、第１単価にもとづいて導出してもよい。
【００５１】
第１の実施の形態において、管理サーバ１８は、ユーザによる充電が完了する度に、充電に用いられた電力の電力料金を電力供給者へ支払ってもよい。この場合、導出部５４は、管理者への支払額に加え、充電実績情報と第２単価にもとづいて、充電に用いられた電力の電力料金を導出する。支払処理部５６は、導出された電力料金の電力供給者への支払処理を行い、通信部４０を介して、電力供給者への支払処理が完了したことを示す支払完了情報を課金サーバ１２へ送信する。この変形例によれば、情報処理システム１の構成の自由度を向上できる。
【符号の説明】
【００５２】
１…情報処理システム、１０…電力供給装置、１２…課金サーバ、１４…ユーザ端末、１６…管理者端末、１８…管理サーバ、２０…車両、３０…コンセント、３２…制御装置、４０…通信部、４２…処理部、５０…取得部、５４…導出部、５６…支払処理部、５８…請求処理部、１００…設置場所。
【図１】
2019204161.tif 000003
【図２】
2019204161.tif 000004
【図３】
2019204161.tif 000005